(57)【特許請求の範囲】
【請求項１】
ガイド溝を有するガイド部材と、該ガイド部材に対して最大離間距離が制限されて前記ガイド溝内で摺動する摺動部を有するスライド部材とからなり、前記スライド部材を固定体に上下方向に向けて取付け、前記ガイド部材を昇降体に取付け、前記ガイド溝の底面に対面した前記摺動部の側面に凹所を形成するとともに、該凹所の底面を下方になるに従い浅くなるように傾斜面とし、前記傾斜面と同一傾斜角度の摺動面と前記ガイド溝の底面と平行な押圧面とを有する楔状の規制部材を前記凹所内に上下遊動可能に設け、前記規制部材が凹所内の下部に位置した際に前記押圧面で直接又は他の部材を介して前記ガイド溝の底面を圧接し、凹所内の上部に位置した際には圧接しないことを特徴とする昇降体の急降下防止装置。
【請求項２】
前記ガイド部材のガイド溝は、開口部の溝幅が狭く且つ内部に溝幅が大きいガイド部を形成したものであり、前記スライド部材は、前記ガイド部内で摺動する前記摺動部と該摺動部から延設して前記開口部から突出した取付部とを有してなる請求項１記載の昇降体の急降下防止装置。
【請求項３】
前記規制部材の押圧面に、前記ガイド溝の底面に対して摩擦抵抗の大きい素材で形成した圧接部材を添設してなる請求項１又は２記載の昇降体の急降下防止装置。
【発明の詳細な説明】
【０００１】
【発明の属する技術分野】
本発明は、昇降体の急降下防止装置に係わり、更に詳しくは固定体に対して昇降体が自重で急降下しないようになした昇降体の急降下防止装置に関するものである。
【０００２】
【従来の技術】
従来、ガイド溝を有するガイド部材と、該ガイド部材に対して前記ガイド溝内で摺動する摺動部を有するスライド部材とからなり、前記スライド部材を固定体に上下方向に向けて取付け、前記ガイド部材を昇降体に取付けて、固定体に対して昇降体を上下高さ調節可能となしたものは各種提供されている。
【０００３】
例えば、テーブル若しくは机の天板後方にパネル板を高さ調節可能に設けた家具が提供されており、前記テーブル若しくは机が固定体、前記パネル板が昇降体となる。この場合、前記パネル板の高さ調節するには、テーブル若しくは机の天板後方に取付けたスライド部材に対してパネル板に取付けたガイド部材を上下スライドさせ、該ガイド部材のガイド溝の底面の所定高さ位置に形成した孔又は係合凹部に前記スライド部材を貫通させて螺合したハンドル付きの調節ネジを係合させて保持する構造が一般的に採用されている。
【０００４】
しかし、前記パネル板を高さ調節する際に、前記調節ネジを緩めてガイド溝の底面の孔又は係合凹部から離した瞬間に、不意にパネル板がその自重によって急降下することがあり、該パネル板が移動下端に衝突した際に、その衝撃によってガイド部材やスライド部材が破損することも考えられる。それを防止するために、ガイド部材やスライド部材の摺動抵抗を増したり、所定高さ位置毎に弾性的な緩衝部材を設けたりしていたが、摺動抵抗を増加させるとパネル板のスライド移動がスムーズにできず、また緩衝部材を設ける場合には、緩衝部材に当接するまでは自重落下することになり、根本的な解決策とはならない。
【０００５】
【発明が解決しようとする課題】
そこで、本発明が前述の状況に鑑み、解決しようとするところは、固定体に対して不意に昇降体が自重で降下しても瞬時に昇降体の降下を止め、しかも強制的に昇降体を押し下げれば降下させることが可能であり、更に昇降体を持上げれば簡単に上昇させることが可能な昇降体の急降下防止装置を提供する点にある。
【０００６】
【課題を解決するための手段】
本発明は、前述の課題解決のために、ガイド溝を有するガイド部材と、該ガイド部材に対して最大離間距離が制限されて前記ガイド溝内で摺動する摺動部を有するスライド部材とからなり、前記スライド部材を固定体に上下方向に向けて取付け、前記ガイド部材を昇降体に取付け、前記ガイド溝の底面に対面した前記摺動部の側面に凹所を形成するとともに、該凹所の底面を下方になるに従い浅くなるように傾斜面とし、前記傾斜面と同一傾斜角度の摺動面と前記ガイド溝の底面と平行な押圧面とを有する楔状の規制部材を前記凹所内に上下遊動可能に設け、前記規制部材が凹所内の下部に位置した際に前記押圧面で直接又は他の部材を介して前記ガイド溝の底面を圧接し、凹所内の上部に位置した際には圧接しないことを特徴とする昇降体の急降下防止装置を構成した。
【０００７】
ここで、前記ガイド部材のガイド溝は、開口部の溝幅が狭く且つ内部に溝幅が大きいガイド部を形成したものであり、前記スライド部材は、前記ガイド部内で摺動する前記摺動部と該摺動部から延設して前記開口部から突出した取付部とを有してなるのである。
【０００８】
また、前記規制部材の押圧面に、前記ガイド溝の底面に対して摩擦抵抗の大きい素材で形成した圧接部材を添設してなることが好ましい。
【０００９】
【発明の実施の形態】
次に本発明の実施の形態を添付図面に基づき更に詳細に説明する。図１及び図２は本発明に係る昇降体の急降下防止装置を示し、図中符号１はガイド部材、２はスライド部材、３は規制部材をそれぞれ示している。
【００１０】
本発明に係る昇降体の急降下防止装置は、ガイド溝４を有するガイド部材１と、該ガイド部材１に対して最大離間距離が制限されて前記ガイド溝４内で摺動する摺動部５を有するスライド部材２とからなり、前記スライド部材２を固定体に上下方向に向けて取付け、前記ガイド部材１を昇降体に取付け、前記ガイド溝４の底面６に対面した前記摺動部５の側面に凹所７を形成するとともに、該凹所７の底面を下方になるに従い浅くなるように傾斜面８とし、前記傾斜面８と同一傾斜角度の摺動面９と前記ガイド溝４の底面６と平行な押圧面１０とを有する楔状の規制部材３を前記凹所７内に上下遊動可能に設け、前記規制部材３が凹所７内の下部に位置した際に前記押圧面１０で直接又は他の部材を介して前記ガイド溝４の底面６を圧接し、凹所７内の上部に位置した際には圧接しないようになしたものである。
【００１１】
更に詳しくは、前記ガイド部材１のガイド溝４は、開口部１１の溝幅が狭く且つ内部に溝幅が大きいガイド部１２を形成したものである。また、前記スライド部材２は、前記ガイド部１２内で摺動する前記摺動部５と該摺動部５から延設して前記開口部１１から突出した取付部１３とを有してなるものである。ここで、前記ガイド部材１は、アルミニウム又は合成樹脂を押出し成形した型材であり、また前記スライド部材２及び規制部材３は、合成樹脂製の成形品である。
【００１２】
更に、本実施形態では、前記規制部材３の押圧面１０の左右に縦長の凹部１４，１４を形成し、前記ガイド溝４の底面６に対して摩擦抵抗の大きい素材、例えばシリコンゴム等で形成した圧接部材１５をそれぞれ前記凹部１４，１４内に一部を埋設状態で固着している。尚、本実施形態では、前記圧接部材１５を前記規制部材３の押圧面１０に添設したが、硬質の合成樹脂素材で成形した規制部材３の押圧面１０となる一面に摩擦抵抗の大きい合成樹脂素材を二色成形して一体化したものも可能である。また、前記規制部材３の押圧面１０の全面に圧接部材１５を添設しても良く、その固着には接着手段の外に嵌着手段を採用することも可能である。
【００１３】
本発明に係る昇降体の急降下防止装置は、固定体に取付けたスライド部材２に対して昇降体に取付けたガイド部材１が、ガイド溝４のガイド部１２内で摺動部５が相対的にスライド移動することによって昇降するが、図２（ａ）に示すように、前記規制部材３はその自重によって前記凹所７内の下部に位置しており、前記押圧面１０に設けた圧接部材１５が常に前記ガイド溝４の底面６に接触した状態にあるので、前記昇降体、即ちガイド部材１がその自重によって降下を始めると、前記圧接部材１５とガイド溝４の底面６の摩擦抵抗によってガイド部材１に連れて規制部材３が押し下げられ、前記凹所７の傾斜面８を規制部材３の摺動面９が摺動しながら前記圧接部材１５がガイド溝４の底面６に強く圧接するので、瞬時にガイド部材１の降下を停止させることができるのである。この際、前記規制部材３が前記凹所７内の下端に当止した状態で押圧面１０と前記ガイド溝４の底面６との間に若干の隙間が生じるように設定すれば、前記昇降体、即ちガイド部材１を強制的に押し下げても、前記圧接部材１５のガイド溝４の底面６に対する圧接力は変化しないので、所定の動摩擦抵抗を伴いながら降下させることが可能である。
【００１４】
また、図２（ｂ）に示すように、前記前記昇降体、即ちガイド部材１を持上げれば、それに連れて前記規制部材３が凹所７内を上昇して前記圧接部材１５がガイド溝４の底面６に単に接触した状態となり、簡単に上昇させることが可能である。尚、図２（ｂ）は、分かりやすくするために、圧接部材１５がガイド溝４の底面６から離して記載したが、実際には規制部材３の自重によって圧接部材１５はガイド溝４の底面６に常時接触した状態となっている。
【００１５】
また、前記スライド部材２を直接固定体に取付けることも可能であるが、図１及び図２に示すように、該スライド部材２をブラケット１６に固定し、当該ブラケット１６を介して固定体に取付けるようにすることが強度面と機能面の観点からより好ましい。前記スライド部材２の上下端部と中央部には、前記摺動部５から取付部１３に貫通した取付孔１７，…を形成し、該取付孔１７の摺動部５側に取付ネジ１８の頭部が側面から突出しないように座グリ部を形成し、一方、金属板からなる前記ブラケット１６には、取付ネジ１８を螺合する螺孔１９，…を形成している。また、前記スライド部材２の上部に貫通孔２０を形成し、それに対応するブラケット１６にハンドル付きの調節ネジ２１を螺合する調節螺孔２２を形成し、該調節螺孔２２に螺合した調節ネジ２１を前記貫通孔２０を貫通させて、前記ガイド溝４の底面６に形成した係合孔２３に係合させて上下移動を完全に規制できるようにしている。
【００１６】
次に、本発明に係る昇降体の急降下防止装置を採用した昇降パネル付き折畳み式テーブルの実施形態を図３〜図７に基づき説明する。前記折畳み式テーブルＡは、天板２４の両側部の前後中間部を、両側前後方向に配した一対の接地脚２５，２５の後部に立設した支脚杆２６，２６に、上下回動可能に枢着し、前記天板２４の左右後端部に取付けた支持部材２７にそれぞれリンク部材２８の一端を枢着するとともに、各リンク部材２８の他端を幕板パネル２９の前面両側に縦設した支持ガイド３０，３０に上下スライド可能に連結する一方、前記幕板パネル２９の両側下端を前記両支脚杆２６，２６に枢着し、前記幕板パネル２９の背面両側に前記ブラケット１６を固着し、前記ガイド部材１とスライド部材２とでパネル板３１の両側部を上下位置を変更可能に取付けてなるものである。ここで、前記幕板パネル２９が本発明の固定体に相当し、前記パネル板３１が本発明の昇降体に相当する。
【００１７】
更に詳しくは、前記パネル板３１は、枠部材３２，…を連結して正面視略四角形の枠体に保持したものであり、前記縦方向の枠部材３２，３２を前記ガイド部材１，１で構成している。ここで、前記枠部材３２としてのガイド部材１のガイド溝４の底面４には、上下方向に所定間隔をおいて複数の前記係合孔２３（図示せず）を形成し、前記調節ネジ２１の先端が何れかの係合孔２３に係合することで、高さを調節したパネル板３１を固定できるようにしている。尚、前記調節ネジ２１を確実に保持できるように、該調節ネジ２１を前記幕板パネル２９の前面側の両側上部に固着した取付座３３と幕板パネル２９に開口した挿通孔（図示せず）を通して前記ブラケット１６の調節螺孔２２に螺合するようにしている。前記調節ネジ２１を緩めれば、前記パネル板３１の高さを調節することが可能である。
【００１８】
前記支持部材２７は、断面略Ｌ字形の部材であり、水平板２７Ａを天板２４の下面にねじ止め固定し、上方へ向いた垂直板２７Ｂを天板２４の後部下面に形成した凹部３４内に位置させ、該垂直板２７Ｂの前後中央部に後述のリンク部材２８の一端を水平な支軸３５にて枢着するようになっている。また、前記リンク部材２８の後端から前記支軸３５を中心とした円弧状に立ち上がった上端にローラ３６を側設し、該ローラ３６を前記支持ガイド３０，３０にそれぞれ抜け止め状態で上下転動可能に連結している。
【００１９】
そして、前記天板２４を略水平な使用態様となした際に、前記幕板パネル２９は天板２４の後縁に近接して垂下するとともに、前記パネル板３１は幕板パネル２９の背後に立起状態となり（図５参照）、また天板２４を立起させて折畳み態様となした際に、前記幕板パネル２９とパネル板３１は天板２４の上面に沿った折畳み態様となる（図７参照）。
【００２０】
【発明の効果】
以上にしてなる請求項１に係る発明の昇降体の急降下防止装置は、ガイド溝を有するガイド部材と、該ガイド部材に対して最大離間距離が制限されて前記ガイド溝内で摺動する摺動部を有するスライド部材とからなり、前記スライド部材を固定体に上下方向に向けて取付け、前記ガイド部材を昇降体に取付け、前記ガイド溝の底面に対面した前記摺動部の側面に凹所を形成するとともに、該凹所の底面を下方になるに従い浅くなるように傾斜面とし、前記傾斜面と同一傾斜角度の摺動面と前記ガイド溝の底面と平行な押圧面とを有する楔状の規制部材を前記凹所内に上下遊動可能に設け、前記規制部材が凹所内の下部に位置した際に前記押圧面で直接又は他の部材を介して前記ガイド溝の底面を圧接し、凹所内の上部に位置した際には圧接しないので、固定体に対して不意に昇降体が自重で降下しても瞬時に昇降体の降下を止めることができ、しかも強制的に昇降体を押し下げれば降下させることが可能であり、更に昇降体を持上げれば簡単に上昇させることができる。
【００２１】
請求項２によれば、スライド部材に対してガイド部材をスムーズ且つガタツキなくスライドさせることができ、また開口部を摺動部との関係でガイド部材に対してスライド部材の最大離間距離が制限されて、規制部材の押圧面をガイド溝の底面に強く圧接することが可能となる。
【００２２】
請求項３によれば、摩擦抵抗の大きい素材で形成した圧接部材をガイド溝の底面に圧接して、スライド部材に対するガイド部材の移動を確実に規制することができる。
【図面の簡単な説明】
【図１】本発明に係る昇降体の急降下防止装置の分解斜視図である。
【図２】同じく組み付けた状態を示し、（ａ）は昇降体が降下する場合に部分断面図、（ｂ）は昇降体が上昇する場合に部分断面図である。
【図３】本発明を採用したパネル付き折畳み式テーブルの側面図である。
【図４】同じく要部の分解斜視図である。
【図５】同じく使用態様の部分側面図である。
【図６】同じく横断平面図である。
【図７】同じく折畳み態様の部分側面図である。
【符号の説明】
Ａ  パネル付き折畳み式テーブル
１  ガイド部材              ２  スライド部材
３  規制部材                ４  ガイド溝
５  摺動部                  ６  底面
７  凹所                    ８  傾斜面
９  摺動面                  １０  押圧面
１１  開口部                １２  ガイド部
１３  取付部                １４  凹部
１５  圧接部材              １６  ブラケット
１７  取付孔                １８  取付ネジ
１９  螺孔                  ２０  貫通孔
２１  調節ネジ              ２２  調節螺孔
２３  係合孔                ２４  天板
２５  接地脚                ２６  支脚杆
２７  支持部材              ２８  リンク部材
２９  幕板パネル（固定体）  ３０  支持ガイド
３１  パネル板（昇降体）    ３２  枠部材（ガイド部材）
３３  取付座                ３４  凹部
３５  支軸                  ３６  ローラ
【図１】
0003598969.tif 000002
【図２】
0003598969.tif 000003
【図３】
0003598969.tif 000004
【図４】
0003598969.tif 000005
【図５】
0003598969.tif 000006
【図６】
0003598969.tif 000007
【図７】
0003598969.tif 000008